(57)【要約】【課題】ＬＮＧの気化を利用してＢＯＧなどを圧縮できるＬＮＧ利用圧縮機を提供する。【解決手段】シリンダ筒１１内に往復動自在にピストン１３を設け、そのピストン１３の一方のシリンダ筒１１をジャケット１６で覆ってシリンダ筒１１内の一方に膨張室１４Ａを形成すると共にピストン１３の他方のシリンダ筒１１内に圧縮室１４Ｂを形成し、圧縮室１４Ｂ内にピストン１３を膨張室１４Ａ側に付勢するバネ１５を設け、上記膨張室１４ＡにＬＮＧ供給ライン１７とＬＮＧ排出ライン１８を接続し、他方圧縮室１４ВにＢＯＧ供給ライン２１を接続すると共に吐出ライン２２を接続し、上記ジャケット１６に膨張室１４Ａ内に導入されたＬＮＧをガス化させる温水ライン２５と排水ライン２６を接続したものである。【選択図】図１
2010127184.tif 000002
【特許請求の範囲】
【請求項１】
シリンダ筒内に往復動自在にピストンを設け、そのピストンの一方のシリンダ筒をジャケットで覆ってシリンダ筒内の一方に膨張室を形成すると共にピストンの他方のシリンダ筒内に圧縮室を形成し、圧縮室内にピストンを膨張室側に付勢するバネを設け、上記膨張室にＬＮＧ供給ラインとＬＮＧ排出ラインを接続し、他方圧縮室にＢＯＧ供給ラインを接続すると共に吐出ラインを接続し、上記ジャケットに膨張室内に導入されたＬＮＧをガス化させる温水ラインと排出ラインを接続したことを特徴とするＬＮＧ利用圧縮機。
【請求項２】
ＬＮＧを貯蔵する貯蔵タンクにＬＮＧの払出ラインが接続され、そのＬＮＧ払出ラインに気化器とバッファータンクが接続され、バッファータンクからＮＧが需要系に供給されるＬＮＧサテライト基地において、上記ＬＮＧ供給ラインが、上記気化器上流側の払出ラインより分岐して接続され、上記ＬＮＧ排出ラインが上記払出ラインに接続された気化器の下流側に接続され、ＢＯＧ供給ラインが貯蔵タンクの気相部に接続され、上記吐出ラインが上記バッファータンクの上流側に接続される請求項１記載のＬＮＧ利用圧縮機。
【請求項３】
シリンダ筒内の一方にジャケットを設け、そのジャケットに往復動自在な膨張側ピストンを設けると共にシリンダ筒内の他方に往復動自在な膨張側ピストンを設けてピストンを構成し、その膨張側ピストンのジャケット内に膨張室を形成すると共に圧縮側ピストンのシリンダ筒に圧縮室を形成し、圧縮室内にピストンを膨張室側に付勢するバネを設け、上記膨張室にＬＮＧ供給ラインとＬＮＧ排出ラインを接続し、他方圧縮室にＮＧ供給ラインを接続すると共に吐出ラインを接続し、上記ジャケットに膨張室内に導入されたＬＮＧをガス化させる温水ラインと排出ラインを接続したことを特徴とするＬＮＧ利用圧縮機。
【請求項４】
ＬＮＧを貯蔵する貯蔵タンクにＬＮＧの払出ラインが接続され、そのＬＮＧ払出ラインに気化器とバッファータンクが接続され、バッファータンクからＮＧが需要系に供給されるＬＮＧサテライト基地において、上記ＬＮＧ供給ラインが、上記気化器上流側の払出ラインより分岐して接続され、上記ＬＮＧ排出ラインが上記払出ラインに接続された気化器の下流側に接続され、上記ＮＧ供給ラインがバッファータンクに接続された請求項２記載のＬＮＧ利用圧縮機。
【発明の詳細な説明】
【技術分野】
【０００１】
本発明は、ＬＮＧサテライト基地などのＬＮＧ貯蔵タンクから払い出され気化されたＮＧや、貯蔵タンクの頂部から排出されるＢＯＧを需要圧まで圧縮する圧縮機に係り、特にＬＮＧの気化時の体積膨張を利用してＢＯＧやＮＧを圧縮するＬＮＧ利用圧縮機に関するものである。
【背景技術】
【０００２】
ＬＮＧサテライト基地においては、貯蔵タンクに貯蔵されたＬＮＧ（液化天然ガス）を温水式や空温式の気化器に払い出して気化し、これを需要圧（０．４ＭＰａ）まで圧縮機で昇圧して需要系のボイラ等に供給している。
【０００３】
この貯蔵タンクは、内外二重槽で形成されるが、貯蔵中に貯蔵タンク内への入熱により貯蔵タンク内のＬＮＧが蒸発してＢＯＧ（ボイルオフガス）となりタンク気相部に溜まり、タンク内圧力は上昇する傾向にある。
【０００４】
一般にＬＮＧが大気圧下でガス化すると、６００倍になるため、貯蔵タンク内の圧力は、貯蔵タンクの耐圧近くまで上昇することも可能である。
【０００５】
この貯蔵タンクは、タンクローリーからＬＮＧを３〜４日おきに受け入れるが、この際に、加圧蒸発器を用いてタンクローリー内を加圧して、ＬＮＧを貯蔵タンクに送液するようにしている。
【０００６】
上述のようにＮＧ（天然ガス）の送ガス圧力を０．４ＭＰａとした場合、ＬＮＧタンク内にタンクローリーからＬＮＧを受け入れる際には、タンク内圧力が送ガス圧力より高いとＬＮＧの受け入れはできないため、貯蔵タンクの運転圧力を０．３ＭＰａ以下に落圧する必要がある。
【０００７】
このためには貯蔵タンク内の気相部に溜まったＢＯＧを排出して落圧する必要があるが、ＢＯＧを排出しても、排出先に低圧となったＢＯＧを利用する利用系はなく、ＢＯＧを別途ＢＯＧ圧縮機にて０．４ＭＰａに昇圧して、需要系のＮＧと混ぜて排出する必要がある。
【０００８】
このように、サテライト基地においては、気化後のＮＧ用圧縮機とＢＯＧ用圧縮機の２台が必要となり、設備費とランニングコストがかかってしまう。
【０００９】
【特許文献１】特開２００６−２８３７３６号公報
【発明の開示】
【発明が解決しようとする課題】
【００１０】
上述のようにＬＮＧは気化器に導入されてガス化すると、その体積は、６００倍になるため、気化器でガス化したガスでピストンを駆動して、ポンプとすることが特許文献１に提案されているが、シリンダとピストン構造が複雑で、かつ流路の切り換えのためのバルブなどを必要とし、車載用など小型のポンプには適用できるものの、サテライト基地のＢＯＧ圧縮機など大型のものには適用できない。
【００１１】
そこで、本発明の目的は、上記課題を解決し、ＬＮＧの気化を利用してＢＯＧなどを圧縮できるＬＮＧ利用圧縮機を提供することにある。
【課題を解決するための手段】
【００１２】
上記目的を達成するために請求項１の発明は、シリンダ筒内に往復動自在にピストンを設け、そのピストンの一方のシリンダ筒をジャケットで覆ってシリンダ筒内の一方に膨張室を形成すると共にピストンの他方のシリンダ筒内に圧縮室を形成し、圧縮室内にピストンを膨張室側に付勢するバネを設け、上記膨張室にＬＮＧ供給ラインとＬＮＧ排出ラインを接続し、他方圧縮室にＢＯＧ供給ラインを接続すると共に吐出ラインを接続し、上記ジャケットに膨張室内に導入されたＬＮＧをガス化させる温水ラインと排出ラインを接続したことを特徴とするＬＮＧ利用圧縮機である。
【００１３】
請求項２の発明は、ＬＮＧを貯蔵する貯蔵タンクにＬＮＧの払出ラインが接続され、そのＬＮＧ払出ラインに気化器とバッファータンクが接続され、バッファータンクからＮＧが需要系に供給されるＬＮＧサテライト基地において、上記ＬＮＧ供給ラインが、上記気化器上流側の払出ラインより分岐して接続され、上記ＬＮＧ排出ラインが上記払出ラインに接続された気化器の下流側に接続され、ＢＯＧ供給ラインが貯蔵タンクの気相部に接続され、上記吐出ラインが上記バッファータンクの上流側に接続される請求項１記載のＬＮＧ利用圧縮機である。
【００１４】
請求項３の発明は、シリンダ筒内の一方にジャケットを設け、そのジャケットに往復動自在な膨張側ピストンを設けると共にシリンダ筒内の他方に往復動自在な膨張側ピストンを設けてピストンを構成し、その膨張側ピストンのジャケット内に膨張室を形成すると共に圧縮側ピストンのシリンダ筒に圧縮室を形成し、圧縮室内にピストンを膨張室側に付勢するバネを設け、上記膨張室にＬＮＧ供給ラインとＬＮＧ排出ラインを接続し、他方圧縮室にＮＧ供給ラインを接続すると共に吐出ラインを接続し、上記ジャケットに膨張室内に導入されたＬＮＧをガス化させる温水ラインと排出ラインを接続したことを特徴とするＬＮＧ利用圧縮機である。
【００１５】
請求項４の発明は、ＬＮＧを貯蔵する貯蔵タンクにＬＮＧの払出ラインが接続され、そのＬＮＧ払出ラインに気化器とバッファータンクが接続され、バッファータンクからＮＧが需要系に供給されるＬＮＧサテライト基地において、上記ＬＮＧ供給ラインが、上記気化器上流側の払出ラインより分岐して接続され、上記ＬＮＧ排出ラインが上記払出ラインに接続された気化器の下流側に接続され、上記ＮＧ供給ラインがバッファータンクに接続された請求項２記載のＬＮＧ利用圧縮機である。
【発明の効果】
【００１６】
本発明によれば、ＬＮＧの膨張エネルギーを利用してＢＯＧやＮＧを圧縮することができるという優れた効果を発揮するものである。
【発明を実施するための最良の形態】
【００１７】
以下、本発明の好適な一実施の形態を添付図面に基づいて詳述する。
【００１８】
図１は、本発明のＬＮＧ利用圧縮機１０の構造を示したものである。
【００１９】
図において、１１はシリンダ筒で、筒体部１２ｃの両端に略半円球状の端部１２ａ、１２ｂが設けられて構成される。筒体部１２ｃ内にはキャップ状のピストン１３が往復移動自在に設けられ、ピストン１３にて、シリンダ筒１１内が、膨張室１４Ａと圧縮室１４Вとに仕切られる。
【００２０】
圧縮室１４В側のピストン１３の一方と端部１２ｂ間にはバネ１５が設けられ、バネ１５にて、ピストン１３が膨張室１４Ａ側に常時付勢されるようにされる。
【００２１】
シリンダ筒１１の膨張室１４Ａ側は、そのシリンダ筒１１の膨張室１４を覆うようにジャケット１６が設けられる。
【００２２】
シリンダ筒１１の膨張室１４Ａには、ＬＮＧ供給ライン１７が接続されると共にＮＧ排出ライン１８が接続される。ＬＮＧ供給ライン１７には、開閉弁１９が接続され、ＮＧ排出ライン１８には開閉弁２０が接続される。
【００２３】
シリンダ筒１１の圧縮室１４Вには、ＢＯＧ供給ライン２１が接続されると共にＢＯＧ吐出ライン２２が接続される。ＢＯＧ供給ライン２１には、逆止弁２３が接続される。
【００２４】
シリンダ筒１１内にはピストン１３の位置を検出するリミットスイッチ２４Ａ、２４Ｂが設けられ、リミットスイッチ２４Ａ、２４ＢのＯＮ・ＯＦＦ信号にて開閉弁２０が開閉制御されるようになっている。すなわち膨張室１４Ａ側のリミットスイッチ２４Ａにピストン１３が当たってＯＮとなったときには、開閉弁２０が閉じられると共にその状態を保持し、圧縮室１４В側のリミットスイッチ２４Ｂにピストン１３が当たってＯＮとなったときに、開閉弁２０が閉から開とされると共にピストン１３がリミットスイッチ２４Ａに当たってＯＮとされるまで開状態を保持するように開閉制御される。
【００２５】
ジャケット１６には、温水（または海水や水を含む）ライン２５が接続されると共に排水ライン２６が接続される。
【００２６】
次に、このＬＮＧ利用圧縮機１０の作動を説明する。
【００２７】
先ず、ピストン１３は、バネ１５によりリミットスイッチ２４Ａに当たる位置にあり、その状態で開閉弁２０が閉じられ、膨張室１４Ａに、ＬＮＧ供給ライン１７からＬＮＧが供給される。他方圧縮室１４Ｂには、後述する貯蔵タンクから低圧のＢＯＧが供給される。
【００２８】
この状態で、供給ライン２５からジャケット１６に温水（海水、水を含む）が供給されると膨張室１４Ａ内に供給されたＬＮＧが気化し、その気化時のガス圧で、バネ１５の力に抗してピストン１３を圧縮室１４В側に移動する。これにより圧縮室１４В内のＢＯＧは圧縮されてＢＯＧ吐出ライン２２から高圧のＢＯＧとして吐出される。
【００２９】
ピストン１３が圧縮室１４В側に移動してリミットスイッチ２４Ｂに当たると、開閉弁２０が開とされ、膨張室１４Ａでガス化したＮＧがＮＧ排出ライン１８から排出され、その結果バネ１５の力によりピストン１３が膨張室１４Ａ側に移動し、リミットスイッチ２４Ａに当たる位置に移動すると、開閉弁２０が閉となり、再度膨張室１４Ａ内のＬＮＧがジャケット１６の温水で加熱されてガス化し、上述したようにＢＯＧを圧縮する。
【００３０】
ＬＮＧは気化すると６００倍に体積が膨張するため、膨張室１４Ａに導入するＬＮＧは少量導入して蒸発させ、その蒸発したガス（ＮＧ）を全て開閉弁２０から排気するようにすることで、膨張室１４Ａ内の圧力が下がりＬＮＧ供給ライン１７からのＬＮＧの受け入れが可能となる。またこの際、ＬＮＧ供給ライン１７は、ジャケット１６を通して供給されるため、ジャケット１６内の供給ライン１７を断熱しておき、ライン１７内で蒸発しないようにする。
【００３１】
次に、図１のＬＮＧ利用圧縮機１０をＢＯＧの圧縮に用いたフローを図２により説明する。
【００３２】
図２において、３０は、タンクローリー３１からのＬＮＧ３２を貯蔵する貯蔵タンクで、タンクローリー３１からのＬＮＧは、受入ライン３３からボトムフィードライン３４を介して貯蔵タンク３０の底部から受け入れ、または、トップフィードライン３５を介して貯蔵タンク３０の頂部から受け入れられる。
【００３３】
ボトムフィードライン３４にはタンク加圧蒸発器３６が接続され、貯蔵タンク３０内のＬＮＧ３２をタンク加圧蒸発器３６内に導入してガス化させ、これを加圧ライン３７、圧力制御弁３８を介して貯蔵タンク３０の気相部３０Ｇに供給して貯蔵タンク３０内をＬＮＧ払い出しのために加圧できるようになっている。
【００３４】
貯蔵タンク３０の底部にはＬＮＧ払出ライン４０が接続され、そのＬＮＧ払出ライン４０に遮断弁４１、流量調整弁４２、ＬＮＧ気化器４３、圧力調整弁４４、バッファータンク４５が接続され、バッファータンク４５のＮＧがライン４６にて需要系に供給されるようになっている。
【００３５】
ＬＮＧ利用圧縮機１０は、貯蔵タンク３０の払出ライン４０からのＬＮＧを一部導入して膨張させ、その膨張エネルギーで貯蔵タンク３０の頂部から排出されるＢＯＧを圧縮するように接続される。
【００３６】
先ず遮断弁４１と流量調整弁４２間の払出ライン４０から分岐してＬＮＧ供給ライン１７が接続され、そのＬＮＧ供給ライン１７に開閉弁１９を介して膨張室１４Ａが接続され、膨張室１４ＡのＮＧ排出ライン１８が、気化器４３の下流の払出ライン４０に接続され、そのＮＧ排出ライン１８に、開閉弁２０を介してＮＧ加温器４７が接続される。
【００３７】
また、貯蔵タンク３０の頂部に接続した加圧ライン３７より分岐してＢＯＧ供給ライン２１が接続され、そのＢＯＧ供給ライン２１に、開閉弁２３を介してＬＮＧ利用圧縮機１０の圧縮室１４Ｂが接続され、圧縮室１４Вの吐出側のＢＯＧ吐出ライン２２が、圧力調整弁４４とバッファータンク４５間の払出ライン４０に接続され、そのＢＯＧ吐出ライン２２にＢＯＧ加温器４８が接続される。
【００３８】
以上において、バッファータンク４５からライン４６にて需要系に供給されるＮＧの送ガス圧力を０．４ＭＰａとした場合、タンクローリー３１からＬＮＧを受け入れる際には、貯蔵タンク３０の運転圧力を０．３ＭＰａに落圧する必要がある。この時ＢＯＧをＢＯＧ供給ライン２１に排出すると共にＬＮＧ利用圧縮機１０の圧縮室１４Ｂに導入し、他方払出ライン４０からのＬＮＧの一部をＬＮＧ供給ライン１７からＬＮＧ利用圧縮機１０の膨張室１４Ａに供給し、ジャケット１６に温水を供給して膨張室１４Ａ内のＬＮＧを膨張させることでピストン１３を駆動して圧縮室１４Ｂ内のＢＯＧを圧縮して０．４ＭＰａに圧縮して気化器４３の下流側の払出ライン４０に供給することで、電気代が不要でしかも払い出すＬＮＧの一部を僅かな温水を使用して膨張させることで低ランニングコストでＢＯＧをバッファータンク４５、ライン４６を介して需要系に送ガスすることが可能となる。
【００３９】
ここで、貯蔵タンク３０からＬＮＧ（温度−１５０℃、圧力０．４７ＭＰａ）を、１，０４９ｋｇ／ｈで払い出すとし、貯蔵タンク３０からのＢＯＧを０．３ＭＰａに落圧すべくＢＯＧ（温度−１００℃）を、７１ｋｇ／ｈ排出するとしたとき、ＬＮＧ利用圧縮機１０の膨張室１４Ａには、４９ｋｇ／ｈを供給することで、ＢＯＧを０．５ＭＰａに圧縮することが可能となる。
【００４０】
このＬＮＧ利用圧縮機１０は、圧縮比が２以下の場合、ＬＮＧの蒸発による膨張のみでＢＯＧの圧縮が可能であり、１サイクルに要する時間も２秒程度ですみ、ＬＮＧ利用圧縮機１０のシリンダ筒１１の容積も小さくてよく、例えばシリンダ径を０．２ｍ、長さ１ｍ以下のコンパクトな構造とすることができる。
【００４１】
また圧縮比を２以上とする場合には、シリンダ径を大きく（０．６ｍ）、長さを５ｍとすることで、圧縮比を５以上とすることも可能である。
【００４２】
次に、図３、図４によりＢＯＧを圧縮する以外に、送ガスするＮＧを圧縮する実施の形態を説明する。
【００４３】
先ず、図３は図１に示したＬＮＧ利用圧縮機の変形例を示したものである。
【００４４】
図１の実施の形態においては、膨張室１４Ａ側のシリンダ筒１１の外周をジャケット１６で覆う例で説明したが、本実施の形態においては、シリンダ筒１１内にジャケット１６ａを形成し、そのジャケット１６ａの内周に膨張室１４Ａを形成し、そのジャケット１６ａに膨張側ピストン１３Ａを往復動自在に設け、圧縮室１４В側に圧縮側ピストン１３Ｂを往復動自在に設け、両ピストン１３Ａ、１３Ｂを連結棒１３Ｃで連結してピストン１３を構成したものである。
【００４５】
膨張室１４Ａには、ＬＮＧ供給ライン１７とＮＧ排出ライン１８が接続され、そのＬＮＧ供給ライン１７に開閉弁１９が接続され、ＮＧ排出ライン１８に開閉弁２０が接続される。圧縮室１４Вには、ＮＧ供給ライン２１ａとＮＧ吐出ライン２２ａが接続され、ＮＧ供給ライン２１ａに逆止弁２３が接続される。
【００４６】
ジャケット１６ａには、温水ライン２５が接続されると共に排水ライン２６が接続される。
【００４７】
このＬＮＧ利用圧縮機１０ａにおいては、基本的には図１のＬＮＧ利用圧縮機１０と同じであるが、ＬＮＧ供給ライン１７から開閉弁１９を介して膨張室１４Ａに供給されたＬＮＧはジャケット１６ａに供給される温水で蒸発されて膨張側ピストン１３Ａを圧縮室１４В側に移動する。これにより、連結棒１３Ｃを介して圧縮側ピストン１３Ｂが、リミットスイッチ２４Вに当たるまで圧縮室１４В内のＮＧを圧縮し、その圧縮したＮＧを排出後は、バネ１５の力で、再度膨張側ピストン１３Ａがリミットスイッチ２４Ａに当たる位置まで戻って再度圧縮を繰り返すが、膨張室１４Ａは、圧縮室１４Вより断面積が小さく形成されており、圧縮比が２以下の圧縮に適していると共に、膨張室１４ＡでのＬＮＧの気化膨張時間を短くできるため、１サイクルに要する時間を短くすることができ、ＮＧの送ガスに適したものとすることができる。
【００４８】
図４は、図３に示したＬＮＧ利用圧縮機１０ａで、貯蔵タンク３０から払い出され気化されたＮＧを圧縮する形態を示したものである。
【００４９】
貯蔵タンク３０の払出ライン４０には、遮断弁４１、流量調整弁４２、ＬＮＧ気化器４３、バッファータンク４５が接続され、そのバッファータンク４５にＮＧ供給ライン２１ａが接続され、そのＮＧ供給ライン２１ａに熱交換器５０を介してＬＮＧ利用圧縮機１０ａの圧縮室１４Ｂが接続され、圧縮室１４Вで圧縮されたＮＧが、圧力調整弁４４を介してＮＧ吐出ライン２２ａより需要系に供給されるようになっている。
【００５０】
また遮断弁４１と流量調整弁４２間の払出ライン４０から分岐してＬＮＧ供給ライン１７が接続され、そのＬＮＧ供給ライン１７に、バッファータンク４５からのＮＧと熱交換する熱交換器５０が接続されると共に開閉弁１９を介して膨張室１４Ａが接続され、膨張室１４ＡのＮＧ排出ライン１８が、開閉弁２０を介して気化器４３の下流の払出ライン４０に接続される。また熱交換器５０にはＮＧとの熱交換でガス化したＢＯＧを排出するＢＯＧ排出ライン５１が接続される。
【００５１】
また貯蔵タンク３０の気相部３０Ｇ内のＢＯＧを排出するＢＯＧ排出ライン５２が接続されると共にそのＢＯＧ排出ライン５２に遮断弁５３が接続される。
【００５２】
この図４の実施の形態では、貯蔵タンク３０から払出ライン４０を介してＬＮＧを払い出す際には、流量調整弁４２を閉じておき、ＬＮＧをＬＮＧ供給ライン１７から熱交換器５０を通してバッファータンク４５からのＮＧと熱交換して膨張室１４Ａに供給する。この際、熱交換器５０で気化したＮＧはＢＯＧ排出ライン５１から排出する。膨張室１４Ａに供給されたＬＮＧは、ジャケット１６ａに供給される温水（海水）で加熱膨張されて、ＬＮＧ利用圧縮機１０ａの膨張側ピストン１３Ａを駆動した後、ＮＧ排出ライン１８からバッファータンク４５に供給される。バッファータンク４５のＮＧは、ＮＧ供給ライン２１ａから熱交換器５０を通して、圧縮室１４Ｂに供給され、そこで圧縮側ピストン１３Ｂで圧縮され、圧力調整弁４４で需要圧にされてＮＧ吐出ライン２２ａより需要系に供給される。
【００５３】
この図４のフローにおいて、貯蔵タンク３０からのＬＮＧの一部を流量調整弁４２を介して気化器４３に導入してＮＧ排出ライン１８からのＮＧと合流させてバッファータンク４５に供給し、その上で、熱交換器５０を通して、圧縮室１４Ｂに供給することで、ＮＧ吐出ライン２２ａより需要系に供給されるＮＧ供給量を調整することができる。
【００５４】
このように、ＬＮＧの膨張エネルギーを利用して、ＬＮＧ利用圧縮機１０ａを駆動し、またＬＮＧ気化後のＮＧを、膨張エネルギーで駆動されるＬＮＧ利用圧縮機１０ａで圧縮して需要系に供給することができる。
【００５５】
通常貯蔵タンク３０から払い出されるＬＮＧは０．３ＭＰａ程度であり、ＬＮＧ利用圧縮機１０ａでは、これを０．４ＭＰａ程度に圧縮すればよいため、送ガスをＬＮＧ自身の圧力で加圧することが可能である。
【図面の簡単な説明】
【００５６】
【図１】本発明の一実施の形態を示す図である。
【図２】図１のＬＮＧ利用圧縮機を用いたＬＮＧサテライト基地のフロー図である。
【図３】本発明の他の実施の形態を示す図である。
【図４】図３のＬＮＧ利用圧縮機を用いたＬＮＧサテライト基地のフロー図である。
【符号の説明】
【００５７】
１１  シリンダ筒
１３  ピストン
１４Ａ  膨張室
１４Ｂ  圧縮室
１５  バネ
１６  ジャケット
１８  ＮＧ排出ライン
２１  ＢＯＧ供給ライン
２２  ＢＯＧ吐出ライン
２５  温水ライン
２６  排水ライン
【図１】
2010127184.tif 000003
【図２】
2010127184.tif 000004
【図３】
2010127184.tif 000005
【図４】
2010127184.tif 000006